【手続補正書】
【提出日】平成26年5月21日(2014.5.21)
【手続補正１】
【補正対象書類名】特許請求の範囲
【補正対象項目名】全文
【補正方法】変更
【補正の内容】
【特許請求の範囲】
【請求項１】
平坦上面と、前記平坦上面と平行に形成されリーディング側テーパ面によってエアベアリング面に接続された平坦底面とを有する主磁極層を備え、
前記主磁極層は、
（ａ）前記リーディング側テーパ面の終端エッジをなすリーディングエッジと、前記リーディングエッジから磁極先端厚さに相当する距離を隔てた位置においてクロストラック方向にトラック幅を有する前記エアベアリング面上のトレーリングエッジとを含むように前記エアベアリング面に沿って形成された磁極先端面と、
前記主磁極層の前記平坦上面の一部として形成され、前記トレーリングエッジから、前記エアベアリング面を基点としてネックハイト相当距離を隔てた位置において前記エアベアリング面と平行に延在する第１の平面へと延びる上面と、
底面と、
前記上面に沿って前記クロストラック方向にトラック幅相当距離を隔てた２つの位置においてそれぞれ前記上面と前記底面とを接続する一対の側面と
を有する磁極先端部と、
（ｂ）前記磁極先端部の両側に前記平坦上面と平行にそれぞれ形成されると共に、前記エアベアリング面から第１の距離だけ離れた位置において前記磁極先端部の各側面から前記クロストラック方向へと第２の距離だけ延びるフロントエッジをそれぞれ有する一対の主磁極表面と、
（ｃ）前記磁極先端部の各側面から前記クロストラック方向に前記第２の距離を隔てた位置において、前記フロントエッジを基点として前記エアベアリング面と垂直な方向にそれぞれ延びると共に、前記第１の平面よりも前記エアベアリング面と反対側に位置し前記第１の平面と平行に延在する第２の平面においてそれぞれ終端する一対の第１の主磁極層側面（long side ）と、
（ｄ）前記第１の平面と前記第２の平面との間において前記主磁極表面と前記平坦上面とをそれぞれ接続する一対の第２の主磁極層側面（side of the main pole layer ）と
を含み、
前記磁極先端部の前記底面は、前記リーディング側テーパ面に沿って前記エアベアリング面と前記主磁極表面の前記フロントエッジに対応する位置との間に形成された第１の領域と、前記一対の主磁極表面によって挟まれた領域においてこの一対の主磁極表面と接しつつ共面をなすと共に、前記リーディング側テーパ面から前記第１の平面へと延びる第２の領域とを含む
垂直磁気記録ヘッド。
【請求項２】
さらに、
前記磁極先端部の前記上面と隣接するスピントルク発振器と、
前記スピントルク発振器よりも前記磁極先端部の前記上面とは反対側に形成されたトレーリングシールドと
を備えた請求項１に記載の垂直磁気記録ヘッド。
【請求項３】
前記ネックハイト相当距離が４０ｎｍから１００ｎｍであり、
前記磁極先端厚さが４０ｎｍから１００ｎｍである
請求項１に記載の垂直磁気記録ヘッド。
【請求項４】
前記リーディング側テーパ面が、前記エアベアリング面に対して、２０度から６０度のテーパ角を有する
請求項１に記載の垂直磁気記録ヘッド。
【請求項５】
前記平坦上面と前記主磁極表面との間の前記第１の平面に沿った距離が、前記磁極先端厚さ以上である、
請求項１に記載の垂直磁気記録ヘッド。
【請求項６】
前記第２の主磁極層側面は、これに隣接する前記磁極先端部の前記側面に対して、９０度よりも大きく１８０度未満の角度をなす
請求項１に記載の垂直磁気記録ヘッド。
【請求項７】
トレーリング側テーパ面によってエアベアリング面に接続された平坦上面と、前記平坦上面と平行に形成されリーディング側テーパ面によって前記エアベアリング面に接続された平坦底面とを有する主磁極層を備え、
前記主磁極層は、
（ａ）前記リーディング側テーパ面の終端エッジをなすリーディングエッジと、前記トレーリング側テーパ面の終端エッジをなし前記リーディングエッジから磁極先端厚さに相当する距離を隔てた位置においてクロストラック方向にトラック幅を有する前記エアベアリング面上のトレーリングエッジとを含むように前記エアベアリング面に沿って形成された磁極先端面と、
前記主磁極層の前記トレーリング側テーパ面の一部として形成され、前記トレーリングエッジから、前記エアベアリング面を基点としてネックハイト相当距離を隔てた位置において前記エアベアリング面と平行に延在する第１の平面へと延びる磁極先端上面と、
磁極先端底面と、
前記磁極先端上面に沿って前記クロストラック方向にトラック幅相当距離を隔てた２つの位置においてそれぞれ前記磁極先端上面と前記磁極先端底面とを接続する一対の側面とを有する磁極先端部と、
（ｂ）前記磁極先端部の両側に前記平坦上面と平行にそれぞれ形成されると共に、前記エアベアリング面から第１の距離だけ離れた位置において前記磁極先端部の各側面から前記クロストラック方向へと第２の距離だけ延びるフロントエッジをそれぞれ有する一対の主磁極表面と、
（ｃ）前記磁極先端部の各側面から前記クロストラック方向に前記第２の距離を隔てた位置において、前記フロントエッジを基点として前記エアベアリング面と垂直な方向にそれぞれ延びると共に、前記第１の平面よりも前記エアベアリング面と反対側に位置し前記第１の平面と平行に延在する第２の平面においてそれぞれ終端する一対の第１の主磁極層側面（long side ）と、
（ｄ）前記第１の平面と前記第２の平面との間において前記主磁極表面と前記平坦上面とをそれぞれ接続する一対の第２の主磁極層側面（side of the main pole layer ）と
を含み、
前記磁極先端部の前記底面は、前記リーディング側テーパ面に沿って前記エアベアリング面と前記主磁極表面の前記フロントエッジに対応する位置との間に形成された第１の領域と、前記一対の主磁極表面によって挟まれた領域においてこの一対の主磁極表面と接しつつ共面をなすと共に、前記リーディング側テーパ面から前記第１の平面へと延びる第２の領域とを含む
垂直磁気記録ヘッド。
【請求項８】
さらに、
前記磁極先端部の前記磁極先端上面と隣接するスピントルク発振器と、
前記スピントルク発振器よりも前記磁極先端部の前記磁極先端上面とは反対側に形成されたトレーリングシールドと、を備えた
請求項７に記載の垂直磁気記録の記録ヘッド。
【請求項９】
さらに、
前記トレーリングシールドに接続され、前記磁極先端部の両側に形成されたサイドシールド構造を備えた
請求項８に記載の垂直磁気記録の記録ヘッド。
【請求項１０】
前記リーディング側テーパ面が、前記エアベアリング面に対して、２０度から６０度のテーパ角を有する
請求項７に記載の垂直磁気記録の記録ヘッド。
【請求項１１】
前記トレーリング側テーパ面が、前記エアベアリング面に対して、１０度から４５度のテーパ角を有する
請求項７に記載の垂直磁気記録の記録ヘッド。
【請求項１２】
前記トレーリング側テーパ面と前記リーディング側テーパ面との間の前記第１の平面に沿った距離が、前記磁極先端厚さ以上である、
請求項７に記載の垂直磁気記録の記録ヘッド。
【請求項１３】
前記ネックハイト相当距離が４０ｎｍから１００ｎｍであり、
前記磁極先端厚さが４０ｎｍから１００ｎｍである
請求項７に記載の垂直磁気記録の記録ヘッド。
【請求項１４】
前記エアベアリング面と垂直な方向における前記第１の平面と前記第２の平面との間の 距離が０ｎｍから７０ｎｍである
請求項７に記載の垂直磁気記録の記録ヘッド。